(57)【要約】【課題】空気浄化ユニットと筐体との組み立てが容易であり、かつ空気浄化ユニットから吹出された空気が筐体内に漏れることを抑制できる暖房装置を供給する。【解決手段】暖房装置は、筐体１と、空気浄化ユニット１０とを備えている。筐体１は、開口ＯＰが設けられた外壁部ＷＰと、外壁部ＷＰから内部側に突出するように開口ＯＰの周囲に設けられた突起部ＰＰとを有する。空気浄化ユニット１０は、筐体１の内部に配置されており、かつ筒状の吹出部ＢＰを有する。空気浄化ユニット１０が筐体１の内部に配置された状態で、突起部ＰＰは、吹出部ＢＰに内嵌めされた状態、および、吹出部ＢＰに外嵌めされた状態の少なくともいずれかである。【選択図】図３
2016003773.tif 000002
【特許請求の範囲】
【請求項１】
開口が設けられた外壁部と、前記外壁部から内部側に突出するように前記開口の周囲に設けられた突起部とを有する筐体と、
前記筐体の前記内部に配置されており、かつ筒状の吹出部を有する空気浄化ユニットとを備え、
前記空気浄化ユニットが前記筐体の前記内部に配置された状態で、
前記突起部は、前記吹出部に内嵌めされた状態、および、前記吹出部に外嵌めされた状態の少なくともいずれかである、暖房装置。
【請求項２】
前記突起部と前記吹出部との隙間の通気抵抗が前記開口の通気抵抗よりも大きい、請求項１に記載の暖房装置。
【請求項３】
前記突起部は前記開口の全周に渡って設けられている、請求項１または２に記載の暖房装置。
【請求項４】
前記外壁部は天板部を含み、
前記開口は前記天板部に設けられており、
前記吹出部は上方に向かって配置されている、請求項１から３のいずれか１項に記載の暖房装置。
【発明の詳細な説明】
【技術分野】
【０００１】
本発明は、暖房装置に関するものである。
【背景技術】
【０００２】
近年、ガスファンヒータなどの暖房装置では、イオン発生ユニットなどの空気浄化ユニットを搭載した製品が増えている。
【０００３】
たとえば、特開２０１２−１３２６３５号公報（特許文献１）には、イオン発生ユニットを内蔵した暖房装置が開示されている。この暖房装置では、イオン発生ユニットは外部筐体の裏面壁にネジによって取り付けられている。また、イオン発生ユニットの天面部は外部筐体の天面に形成された上部側開口に隙間無く嵌合している。
【先行技術文献】
【特許文献】
【０００４】
【特許文献１】特開２０１２−１３２６３５号公報
【発明の概要】
【発明が解決しようとする課題】
【０００５】
上記公報に開示された暖房装置では、イオン発生ユニットの天面部が外部筐体の天面に形成された上部側開口に隙間無く嵌合しているため、イオン発生ユニットと外部筐体とを組み立て難いという問題がある。
【０００６】
本発明は、上記課題を鑑みてなされたものであり、その目的は、空気浄化ユニットと筐体との組み立てが容易であり、かつ空気浄化ユニットから吹出された空気が筐体内に漏れることを抑制できる暖房装置を供給することである。
【課題を解決するための手段】
【０００７】
本発明の暖房装置は、筐体と、空気浄化ユニットとを備えている。筐体は、開口が設けられた外壁部と、外壁部から内部側に突出するように開口の周囲に設けられた突起部とを有する。空気浄化ユニットは、筐体の内部に配置されており、かつ筒状の吹出部を有する。空気浄化ユニットが筐体の内部に配置された状態で、突起部は、吹出部に内嵌めされた状態、および、吹出部に外嵌めされた状態の少なくともいずれかである。
【０００８】
本発明の暖房装置によれば、空気浄化ユニットが筐体の内部に配置された状態で、突起部は、吹出部に内嵌めされた状態、および、吹出部に外嵌めされた状態の少なくともいずれかである。このため、突起部が吹出部に内嵌めされた状態および外嵌めされた状態の少なくともいずれかにより筐体と空気浄化ユニットとが組み立てられる。したがって、筐体と空気浄化ユニットとの組み立てが容易である。また、突起部によって吹出部から吹出された空気が開口に導かれるとともに筐体内に漏れることを抑制することができる。
【０００９】
上記の暖房装置において、突起部と吹出部との隙間の通気抵抗が開口の通気抵抗よりも大きい。このため、空気浄化ユニットから吹出された空気は突起部と吹出部との隙間よりも開口に流れる。このため、吹出部から吹出された空気が筐体内に漏れることを抑制できる。
【００１０】
上記の暖房装置において、突起部は前記開口の全周に渡って設けられている。このため、開口の全周に渡って突起部によって吹出部から吹出された空気が開口に導かれるとともに筐体内に漏れることを抑制することができる。これにより、吹出部から吹出された空気が筐体内に漏れることを抑制できる。
【００１１】
上記の暖房装置において、外壁部は天板部を含む。開口は天板部に設けられている。吹出部は上方に向かって配置されている。このため、吹出部から上方に向かって空気が吹出される。このため、暖房装置が設置された室内に効果的に空気浄化ユニットから空気を供給することができる。
【発明の効果】
【００１２】
以上説明したように、本発明によれば、空気浄化ユニットと筐体との組み立てが容易であり、かつ空気浄化ユニットから吹出された空気が筐体内に漏れることを抑制できる暖房装置を供給することができる。
【図面の簡単な説明】
【００１３】
【図１】本発明の一実施の形態における暖房装置の構成を概略的に示す斜視図である。
【図２】本発明の一実施の形態における暖房装置の内部構造を示す概略図である。
【図３】図１のＩＩＩ−ＩＩＩ線に沿う概略断面図である。
【図４】図１のＩＶ−ＩＶ線に沿う概略断面図である。
【図５】本発明の一実施の形態における暖房装置の変形例の概略断面図であって、図４に対応する図である。
【発明を実施するための形態】
【００１４】
以下、本発明の実施の形態について図に基づいて説明する。
まず、図１および図２を参照して、本発明の一実施の形態における暖房装置の構成について説明する。以下、本実施の形態の暖房装置の一例としてガスファンヒータについて説明する。また、本実施の形態の空気浄化ユニットの一例としてイオン発生装置について説明する。また、以下では各方向は暖房装置を床面に設置した状態を基準としている。
【００１５】
本実施の形態の暖房装置は、筐体１と、表示パネル部２と、操作パネル部３と、燃焼ケース４と、燃焼装置５と、送風装置６と、風向板７と、制御部８と、空気浄化ユニット１０とを主に有している。
【００１６】
筐体１は、外壁部ＷＰを有している。外壁部ＷＰは、側板部１ａと、前板部１ｂと、天板部１ｃと、底板部１ｄとを有している。筐体１はたとえば板金で形成されていてもよい。筐体１の内部に、燃焼ケース４と、燃焼装置５と、送風装置６と、風向板７と、制御部８と、空気浄化ユニット１０とが収容されている。
【００１７】
外壁部ＷＰには開口ＯＰが設けられている。具体的には、開口ＯＰは天板部１ｃに設けられている。つまり、天板部１ｃの天面には空気浄化ユニット１０と連通する開口ＯＰが設けられている。
【００１８】
本実施の形態では、開口ＯＰは複数の貫通孔の最外周によって規定されている。つまり、開口ＯＰの内周側には複数の第１の延在部ＷＰ１および複数の第２の延在部ＷＰ２が設けられている。複数の第１の延在部ＷＰ１の各々は開口ＯＰの長手方向に延在している。複数の第２の延在部ＷＰ２の各々は開口ＯＰの短手方向に延在している。複数の第１の延在部ＷＰ１は複数の第２の延在部ＷＰ２と交差している。つまり、複数の第１の延在部ＷＰ１と複数の第２の延在部ＷＰ２とは格子状に配置されている。
【００１９】
天板部１ｃの上側に各種情報を表示可能な表示パネル部２と、暖房装置を操作可能な操作パネル部３とが並んで取り付けられている。本実施の形態では、表示パネル部２は２つの表示部２ａを有しており、操作パネル部３は８つの操作ボタン３ａを有している。
【００２０】
図１および図２を参照して、燃焼ケース４は、ファンケース一体型の燃焼ケースであり、燃焼装置５と、送風装置６とを内部に収容している。燃焼ケース４の内部は二重構造となっており、燃焼部４ａと、空気迂回部４ｂとを有している。燃焼ケース４の燃焼部４ａには、燃焼装置５、熱電対５ａ、点火プラグ５ｂが配置されている。燃焼装置５は、たとえばバーナである。燃焼装置５には、電磁弁ＥＶから燃料ガス供給路ＳＲを経由して燃料ガスが供給される。熱電対５ａは火炎状態検知手段として機能するものであり、火炎の温度を直接的に検知可能に構成されている。点火プラグ５ｂは燃料ガスに点火可能に構成されている。
【００２１】
空気迂回部４ｂは、燃焼部４ａの周囲を取り巻くものであり、主として混合用の空気を流す空気流路として機能する。燃焼ケース４の背面側には、燃焼ケース４の内部に空気を取り込むための取込口ＩＰが設けられている。また、側板部１ａの背面に吸気口ＡＰが設けられている。吸気口ＡＰから吸気された空気が取込口ＩＰを経由して燃焼ケース４の内部に取り込まれる。
【００２２】
燃焼装置５は送風装置６の上方に配置されている。送風装置６は、たとえばファンである。送風装置６は筐体１の外部から内部に空気を取り込み、かつ取り込んだ空気を外部に送風可能に構成されている。送風装置６は風向板７の近傍に配置されている。
【００２３】
風向板７は、前板部１ｂの下部に設けられた排気口ＥＰから筐体１外に露出するように配置されている。排気口ＥＰは前板部１ｂを貫通しており、暖房装置の内部と外部とを連通している。排気口ＥＰは筐体１の正面に配置されている。排気口ＥＰは略長方形状を有しており、前板部１ｂの左右方向の大部分に渡って形成されている。
【００２４】
燃焼ケース４の側方に制御部８が配置されている。制御部８は、暖房装置を制御するマイコン（図示せず）を備えた制御基板を有しており、暖房装置の各部の動作を制御可能に構成されている。具体的には、制御部８は、暖房装置の各種温度センサ（サーミスタ）、熱電対５ａ等からの信号を取得可能であり、燃焼装置５の火炎の有無や火炎の温度、燃焼装置５の燃焼量、暖房装置の内部の温度、暖房装置が設置されている部屋の室温等を取得可能である。そして、制御部８は、取得した情報に基づいた暖房装置の各部を制御可能に構成されている。
【００２５】
また、制御部８は、燃焼装置５と、電磁弁ＥＶや比例弁等の各種制御弁（図示せず）と、点火プラグ５ｂとに接続されている。これにより、制御部８は、燃焼装置５に対して燃焼開始動作、燃焼停止動作、安全動作、燃焼量を増減させる動作等を行うことができる。
【００２６】
図３および図４を参照して、筐体１に空気浄化ユニット１０が取り付けられた構成についてさらに詳しく説明する。
【００２７】
筐体１は、突起部ＰＰを有している。突起部ＰＰは、外壁部ＷＰから内部側に突出するように開口ＯＰの周囲に設けられている。具体的には、突起部ＰＰは筐体１の天板部１ｃに設けられている。突起部ＰＰは、筐体１の天板部１ｃから底板部１ｄに向かって突出している。突起部ＰＰは、天板部１ｃから垂下している。突起部ＰＰは、リブ状に形成されている。突起部ＰＰは開口ＯＰの全周に渡って設けられていてもよい。この場合、本実施の形態では、突起部ＰＰは、天板部１ｃを底板部１ｄ側から見て矩形状に形成されている。
【００２８】
筐体１の内面側に空気浄化ユニット１０が配置されている。本実施の形態では、空気浄化ユニット１０は、イオン発生ユニットである。このイオン発生ユニットは、内部筐体１０ａと、イオン発生装置１０ｂと、送風機１０ｃとを有している。内部筐体１０ａにイオン発生装置１０ｂと送風機１０ｃとが収容されている。また、内部筐体１０ａは吹出部ＢＰを有している。吹出部ＢＰは筒状に形成されている。吹出部ＢＰは内部筐体１０ａの上面に設けられている。吹出部ＢＰは上方に向かって配置されている。
【００２９】
イオン発生装置１０ｂは電極部１０ｂ１を有している。イオン発生装置１０ｂは、電極部１０ｂ１で放電を発生させることでイオンを発生可能に構成されている。送風機１０ｃは、イオン発生装置１０ｂで発生したイオンが含まれた空気を吹出部ＢＰを通して筐体１外に送風可能に構成されている。送風機１０ｃはファンである。
【００３０】
本実施の形態では、空気浄化ユニット１０が筐体１の内部に配置された状態で、突起部ＰＰは、吹出部ＢＰに内嵌めされた状態で配置されている。つまり、筒状の吹出部ＢＰの内周側に突起部ＰＰが挿入されている。したがって、筒状の吹出部ＢＰの内周側に突起部ＰＰが挿入された方向と交差する方向から見て、吹出部ＢＰと突起部ＰＰとは重なっている。この重なっている部分の吹出部ＢＰの内周側に突起部ＰＰが挿入された方向の高さ寸法はたとえば２ｍｍである。
【００３１】
吹出部ＢＰの内周面と突起部ＰＰの外周面との間には隙間がある。また、吹出部ＢＰの上端と天板部１ｃの下面との間にも隙間がある。突起部ＰＰと吹出部ＢＰとの隙間の面積よりも開口ＯＰの面積が大きい。たとえば、突起部ＰＰと吹出部ＢＰとの隙間の面積は、開口ＯＰの面積の１５％以下であり、９％以上１０％以下が好ましい。したがって、突起部ＰＰと吹出部ＢＰとの隙間の通気抵抗が開口ＯＰの通気抵抗よりも大きい。このため、送風機１０ｃから送風されたイオン発生装置１０ｂで発生したイオンが含まれた空気は、突起部ＰＰと吹出部ＢＰとの隙間よりも開口ＯＰを多く通過する。実際には、突起部ＰＰと吹出部ＢＰとの隙間の通気抵抗が開口ＯＰの通気抵抗よりも十分に大きいため、送風機１０ｃから空気の大部分は開口ＯＰを通って筐体１外に流れ出る。
【００３２】
筐体１の側板部１ａの背面側に複数の固定部材２０によって空気浄化ユニット１０が固定されている。具体的には、筐体１の側板部１ａの背面側に設けられた複数の貫通孔ＰＨに固定部材２０が挿入されて空気浄化ユニット１０にネジ止めされている。
【００３３】
内部筐体１０ａは複数の受け部１０ｄを有している。複数の受け部１０ｄは、貫通孔ＰＨに対向するように位置している。受け部１０ｄは固定部材２０と係合可能に構成されている。固定部材２０は、頭部２１と、軸部２２とを有している。頭部２１は、貫通孔ＰＨの径よりも大きい寸法を有し、かつ筐体１の外側に位置する。軸部２２は、頭部２１から貫通孔ＰＨを通って筐体１の内側に向かって突出し、受け部１０ｄに固定可能に構成されている。
【００３４】
固定部材２０は、軸部２２が受け部１０ｄに対して着脱可能に構成されている。軸部２２が受け部１０ｄに対して着脱可能に構成されているため、固定部材２０を受け部１０ｄに着脱することができる。本実施の形態では、固定部材２０はネジであり、受け部１０ｄはネジ穴である。
【００３５】
続いて、本実施の形態の暖房装置の変形例について説明する。この変形例は特に説明しない限り上記本実施の形態の暖房装置と同様の構成を備えている。
【００３６】
図５を参照して、本実施の形態の暖房装置の変形例では、空気浄化ユニット１０が筐体１の内部に配置された状態で、突起部ＰＰは、吹出部ＢＰに外嵌めされた状態で配置されている。つまり、突起部ＰＰの内周側に筒状の吹出部ＢＰが挿入されている。突起部ＰＰの内周面と吹出部ＢＰの外周面との間には隙間がある。吹出部ＢＰの上方に開口ＯＰが位置している。つまり、突起部ＰＰの内周側に筒状の吹出部ＢＰが挿入されている方向からみて開口ＯＰの内側に吹出部ＢＰが位置している。
【００３７】
次に、本実施の形態の暖房装置の動作について説明する。
再び図１および図２を参照して、本実施の形態の暖房装置は、載置された室内温度を昇温および維持するための暖房運転を行うことができる。つまり、燃焼装置５で燃料ガスが燃焼され、発生した燃焼ガスと空気とが撹拌されて生成される温風が送風装置６によって吹き出される暖房運転が実施されることによって、室内温度が設定された温度まで昇温される。
【００３８】
操作パネル部３およびリモコン等に設けられた運転スイッチがオンにされ、暖房装置の暖房運転が開始されると、制御部８の信号によって送風装置６が起動される。そして電磁弁ＥＶが開かれて燃料ガス供給路ＳＲを経由して燃焼装置５に燃料ガスが供給され、点火プラグ５ｂが動作されて、燃焼装置５に火炎が形成される。
【００３９】
このとき、送風装置６が作動することにより、暖房装置の近傍に暖房装置内を通過して循環する空気流が形成される。具体的には、吸気口ＡＰから暖房装置の内部へと空気が取り込まれ、取込口ＩＰから燃焼ケース４内へと取り込まれる。そして、燃焼ケース４内へ取り込まれた空気の一部は、燃焼ケース４の燃焼部４ａに入り、燃焼装置５の燃焼動作に使用される。また、取り込まれた空気の他の一部は、燃焼ケース４の空気迂回部４ｂに入り、燃焼装置５の外側を流れる。そして空気迂回部４ｂを流れた空気は、燃焼装置５から発生する燃焼ガスと撹拌されて温風となる。
【００４０】
つまり燃焼部４ａを通過する高温の空気に、空気迂回部４ｂを流れた空気が混合されて適温の温風となる。そして温風となった空気が燃焼ケース４の下方へと流動し、排気口ＥＰから暖房装置の外部へ吹き出される。このように本実施の形態の暖房装置は、室内の空気を取り込み、加熱して吹き出すことにより室内温度を上昇させることができる。
【００４１】
続いて、本実施の形態のイオン発生ユニットの動作について説明する。
再び図３および図４を参照して、イオン発生ユニットに通電されると、イオン発生装置１０ｂの電極部１０ｂ１に通電される。これにより、電極部１０ｂ１で放電が発生してイオンが発生する。さらに、送風機１０ｃに通電されることにより、送風機１０ｃが回転してイオンを含む空気が吹出部ＢＰから開口ＯＰを経由してイオン発生ユニットから筐体１の外部に放出される。そして、筐体１の外部に放出されたイオンによって居室空間内の空気が浄化される。
【００４２】
次に、本実施の形態の暖房装置の作用効果について説明する。
本実施の形態の暖房装置によれば、空気浄化ユニット１０が筐体１の内部に配置された状態で、突起部ＰＰは、吹出部ＢＰに内嵌めされた状態、および、吹出部ＢＰに外嵌めされた状態の少なくともいずれかである。このため、突起部ＰＰが吹出部ＢＰに内嵌めされた状態および外嵌めされた状態の少なくともいずれかにより筐体１と空気浄化ユニット１０とが組み立てられる。したがって、筐体１と空気浄化ユニット１０との組み立てが容易である。また、突起部ＰＰによって吹出部ＢＰから吹出された空気が開口ＯＰに導かれるとともに筐体１内に漏れることを抑制することができる。
【００４３】
本実施の形態の暖房装置において、突起部ＰＰと吹出部ＢＰとの隙間の通気抵抗が開口ＯＰの通気抵抗よりも大きい。このため、空気浄化ユニット１０から吹出された空気は突起部ＰＰと吹出部ＢＰとの隙間よりも開口ＯＰに流れる。このため、吹出部ＢＰから吹出された空気が筐体１内に漏れることを抑制できる。
【００４４】
本実施の形態の暖房装置において、突起部ＰＰは開口ＯＰの全周に渡って設けられている。このため、開口ＯＰの全周に渡って突起部ＰＰによって吹出部ＢＰから吹出された空気が開口ＯＰに導かれるとともに筐体１内に漏れることを抑制することができる。これにより、吹出部ＢＰから吹出された空気が筐体１内に漏れることを抑制できる。
【００４５】
本実施の形態の暖房装置において、開口ＯＰは天板部１ｃに設けられており、吹出部ＢＰは上方に向かって配置されている。このため、吹出部ＢＰから上方に向かって空気が吹出される。このため、暖房装置が設置された室内に効果的に空気浄化ユニット１０から空気を供給することができる。
【００４６】
なお、上記では本実施の形態の暖房装置の一例としてガスファンヒータについて説明したが、本実施の形態の暖房装置は、ガスファンヒータに限定されず、石油ファンヒータなどであってもよい。
【００４７】
また、本実施の形態の空気浄化ユニット１０の一例として、イオン発生ユニットについて説明したが、本実施の形態の空気浄化ユニット１０は、イオン発生ユニットに限定されず、空気を浄化可能な物質を空気とともに吹き出し可能なものであればよい。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４９】
１  筐体、１ａ  側板部、１ｂ  前板部、１ｃ  天板部、１ｄ  底板部、２  表示パネル部、３  操作パネル部、４  燃焼ケース、５  燃焼装置、６  送風装置、７  風向板、８  制御部、１０  空気浄化ユニット、１０ａ  内部筐体、１０ｂ  イオン発生装置、１０ｂ１  電極部、１０ｃ  送風機、１０ｄ  受け部、２０  固定部材、ＢＰ  吹出部、ＯＰ  開口、ＰＰ  突起部、ＷＰ  外壁部。
【図１】
2016003773.tif 000003
【図２】
2016003773.tif 000004
【図３】
2016003773.tif 000005
【図４】
2016003773.tif 000006
【図５】
2016003773.tif 000007